【手続補正書】
【提出日】平成28年10月12日(2016.10.12)
【手続補正１】
【補正対象書類名】特許請求の範囲
【補正対象項目名】全文
【補正方法】変更
【補正の内容】
【特許請求の範囲】
【請求項１】
８５ｍｏｌ％以上の量で剛直構造を含む非晶性の芳香族ポリアミドを含有するフィルム状をなす基材を備えることを特徴とするカバー部材。
【請求項２】
前記剛直構造は、下記一般式（１）で表わされる繰り返し単位および下記一般式（２）で表わされる繰り返し単位のうちの少なくとも一方である請求項１に記載のカバー部材。
【化１】
2016074894.tif 000001
（ただし、ｎは、１〜４の整数であり、Ａｒ１は、下記一般式（Ａ）および（Ｂ）からなる群から選択され、
【化２】
2016074894.tif 000002
［ｐ＝４、Ｒ１、Ｒ４、Ｒ５は、それぞれ独立して、水素原子、ハロゲン原子、アルキル基、置換アルキル基、ニトロ基、シアノ基、チオアルキル基、アルコキシ基、置換アルコキシ基、アリール基、置換アリール基、アルキルエステル基、置換アルキルエステル基、およびこれらの組み合せからなる群から選択され、Ｇ１は、共有結合、ＣＨ２基、Ｃ（ＣＨ３）２基、Ｃ（ＣＦ３）２基、Ｃ（ＣＸ３）２基（但しＸはハロゲン原子である。）、ＣＯ基、Ｏ原子、Ｓ原子、ＳＯ２基、Ｓｉ（ＣＨ３）２基、９，９−フルオレン基、置換９，９−フルオレン基、およびＯＺＯ基（但しＺは、アリール基又は置換アリール基である。）からなる群から選択される。］、
Ａｒ２は、下記一般式（Ｃ）および（Ｄ）からなる群から選択され、
【化３】
2016074894.tif 000003
［ｐ＝４、Ｒ６、Ｒ７、Ｒ８は、それぞれ独立して、水素原子、ハロゲン原子、アルキル基、置換アルキル基、ニトロ基、シアノ基、チオアルキル基、アルコキシ基、置換アルコキシ基、アリール基、置換アリール基、アルキルエステル基、置換アルキルエステル基、およびこれらの組み合せからなる群から選択され、Ｇ２は、共有結合、ＣＨ２基、Ｃ（ＣＨ３）２基、Ｃ（ＣＦ３）２基、Ｃ（ＣＸ３）２基（但しＸはハロゲン原子である。）、ＣＯ基、Ｏ原子、Ｓ原子、ＳＯ２基、Ｓｉ（ＣＨ３）２基、９，９−フルオレン基、置換９，９−フルオレン基、およびＯＺＯ基（但しＺは、アリール基又は置換アリール基である。）からなる群から選択される。］、
Ａｒ３は、下記一般式（Ｅ）および（Ｆ）からなる群から選択される。
【化４】
2016074894.tif 000004
［ｔ＝１〜３、Ｒ９、Ｒ１０、Ｒ１１は、それぞれ独立して、水素原子、ハロゲン原子、アルキル基、置換アルキル基、ニトロ基、シアノ基、チオアルキル基、アルコキシ基、置換アルコキシ基、アリール基、置換アリール基、アルキルエステル基、置換アルキルエステル基、およびこれらの組み合せからなる群から選択され、Ｇ３は、共有結合、ＣＨ２基、Ｃ（ＣＨ３）２基、Ｃ（ＣＦ３）２基、Ｃ（ＣＸ３）２基（但しＸはハロゲン原子である。）、ＣＯ基、Ｏ原子、Ｓ原子、ＳＯ２基、Ｓｉ（ＣＨ３）２基、９，９−フルオレン基、置換９，９−フルオレン基、およびＯＺＯ基（但しＺは、アリール基又は置換アリール基である。）からなる群から選択される。］
【請求項３】
前記剛直構造は、４，４’−ジアミノ−２，２’−ビストリフルオロメチルビフェニル（ＰＦＭＢ）由来の構造、テレフタロイルジクロライド（ＴＰＣ）由来の構造、４，４’−ジアミノジフェン酸（ＤＡＰＤ）由来の構造、および３，５−ジアミノベンゾイン酸（ＤＡＢ）由来の構造のうちの少なくとも１種を含む請求項１または２に記載のカバー部材。
【請求項４】
前記芳香族ポリアミドは、エポキシ基と反応可能な１つ以上の官能基を含み、
前記基材は、さらに、多官能エポキシドを含む請求項１ないし３のいずれか１項に記載のカバー部材。
【請求項５】
エポキシ基と反応可能な１つ以上の官能基を含む非晶性の芳香族ポリアミドと多官能エポキシドとを含有するフィルム状をなす基材を備えることを特徴とするカバー部材。
【請求項６】
前記芳香族ポリアミドの少なくとも一方の末端は、前記エポキシ基と反応可能な前記官能基である請求項４または５に記載のカバー部材。
【請求項７】
前記多官能エポキシドは、２つ以上のグリシジルエポキシ基を含むエポキシドまたは２つ以上の脂環式基を含むエポキシドである請求項４ないし６のいずれか１項に記載のカバー部材。
【請求項８】
前記多官能エポキシドは、下記一般構造（α）および（β）からなる群から選択される請求項４ないし７のいずれか１項に記載のカバー部材。
【化５】
2016074894.tif 000005
（ただし、ｌは、グリシジル基の数であり、Ｒは、下記一般式からなる群から選択される。
【化６】
2016074894.tif 000006
［ｍ＝１〜４、ｎおよびｓは、それぞれ独立した単位の平均数であって、０〜３０であり、Ｒ１２は、それぞれ独立して、水素原子、ハロゲン原子、アルキル基、置換アルキル基、ニトロ基、シアノ基、チオアルキル基、アルコキシ基、置換アルコキシ基、アリール基、置換アリール基、アルキルエステル基、置換アルキルエステル基、およびこれらの組み合せからなる群から選択され、Ｇ４は、共有結合、ＣＨ２基、Ｃ（ＣＨ３）２基、Ｃ（ＣＦ３）２基、Ｃ（ＣＸ３）２基（但しＸはハロゲン原子である。）、ＣＯ基、Ｏ原子、Ｓ原子、ＳＯ２基、Ｓｉ（ＣＨ３）２基、９，９−フルオレン基、置換９，９−フルオレン基、およびＯＺＯ基（但しＺは、アリール基又は置換アリール基である。）からなる群から選択され、Ｒ１３は、水素原子またはメチル基であり、Ｒ１４は、二価有機基である。］。）
【化７】
2016074894.tif 000007
（ただし、環状構造（cyclic structure）は、下記一般式からなる群から選択される。
【化８】
2016074894.tif 000008
［Ｒ１５は、炭素数２〜１８を有する二価の炭化水素基であり、該二価の炭化水素基は、直鎖状の基、分枝状の基または環状骨格を有する基であり、ｍおよびｎは、それぞれ独立して、１〜３０の整数であり、ａ、ｂ、ｃ、ｄ、ｅおよびｆは、それぞれ独立して０〜３０の整数である。］。）
【請求項９】
前記多官能エポキシドは、下記一般構造からなる群から選択される請求項４ないし８のいずれか１項に記載のカバー部材。
【化９】
2016074894.tif 000009
（ただし、Ｒ１６は、炭素数２〜１８を有する一価の炭化水素基であり、該一価の炭化水素基は、直鎖状の基、分枝状の基または環状骨格を有する基であり、ｔおよびｕは、それぞれ独立して１〜３０の整数である。）
【請求項１０】
前記芳香族ポリアミドは、カルボキシル基を含む請求項１ないし９のいずれか１項に記載のカバー部材。
【請求項１１】
前記基材は、その引張弾性率が４ＧＰａ以上である請求項１ないし１０のいずれか１項に記載のカバー部材。
【請求項１２】
前記基材は、ループスティフネステスタ法にて得られる、ループスティフネス値が５ｇ／２５ｍｍ以上である請求項１ないし１１のいずれか１項に記載のカバー部材。
【請求項１３】
前記基材は、そのヘイズ値が５％以下である請求項１ないし１２のいずれか１項に記載のカバー部材。
【請求項１４】
前記基材は、その波長４００ｎｍの全光線透過率が６５％以上である請求項１ないし１３のいずれか１項に記載のカバー部材。
【請求項１５】
前記基材は、耐薬品性を備える請求項１ないし１４のいずれか１項に記載のカバー部材。
【請求項１６】
前記基材は、その平均厚さが０．１μｍ以上１０００μｍ以下である請求項１ないし１５のいずれか１項に記載のカバー部材。
【請求項１７】
所定の操作に起因する静電容量の変化を検出するタッチパネルと、
該タッチパネルの一方の面側に配置された、請求項１ないし１６のいずれか１項に記載のカバー部材とを備えることを特徴する電子機器。
【手続補正２】
【補正対象書類名】明細書
【補正対象項目名】０００８
【補正方法】変更
【補正の内容】
【０００８】
このような目的は、下記（１）〜（１７）に記載の本発明により達成される。
（１）  ８５ｍｏｌ％以上の量で剛直構造を含む非晶性の芳香族ポリアミドを含有するフィルム状をなす基材を備えることを特徴とするカバー部材。
【手続補正３】
【補正対象書類名】明細書
【補正対象項目名】０００９
【補正方法】変更
【補正の内容】
【０００９】
（２）  前記剛直構造は、下記一般式（１）で表わされる繰り返し単位および下記一般式（２）で表わされる繰り返し単位のうちの少なくとも一方である上記（１）に記載のカバー部材。
【化１】
2016074894.tif 000010
（ただし、ｎは、１〜４の整数であり、Ａｒ１は、下記一般式（Ａ）および（Ｂ）からなる群から選択され、
【化２】
2016074894.tif 000011
［ｐ＝４、Ｒ１、Ｒ４、Ｒ５は、それぞれ独立して、水素原子、ハロゲン原子、アルキル基、置換アルキル基、ニトロ基、シアノ基、チオアルキル基、アルコキシ基、置換アルコキシ基、アリール基、置換アリール基、アルキルエステル基、置換アルキルエステル基、およびこれらの組み合せからなる群から選択され、Ｇ１は、共有結合、ＣＨ２基、Ｃ（ＣＨ３）２基、Ｃ（ＣＦ３）２基、Ｃ（ＣＸ３）２基（但しＸはハロゲン原子である。）、ＣＯ基、Ｏ原子、Ｓ原子、ＳＯ２基、Ｓｉ（ＣＨ３）２基、９，９−フルオレン基、置換９，９−フルオレン基、およびＯＺＯ基（但しＺは、アリール基又は置換アリール基である。）からなる群から選択される。］、
Ａｒ２は、下記一般式（Ｃ）および（Ｄ）からなる群から選択され、
【化３】
2016074894.tif 000012
［ｐ＝４、Ｒ６、Ｒ７、Ｒ８は、それぞれ独立して、水素原子、ハロゲン原子、アルキル基、置換アルキル基、ニトロ基、シアノ基、チオアルキル基、アルコキシ基、置換アルコキシ基、アリール基、置換アリール基、アルキルエステル基、置換アルキルエステル基、およびこれらの組み合せからなる群から選択され、Ｇ２は、共有結合、ＣＨ２基、Ｃ（ＣＨ３）２基、Ｃ（ＣＦ３）２基、Ｃ（ＣＸ３）２基（但しＸはハロゲン原子である。）、ＣＯ基、Ｏ原子、Ｓ原子、ＳＯ２基、Ｓｉ（ＣＨ３）２基、９，９−フルオレン基、置換９，９−フルオレン基、およびＯＺＯ基（但しＺは、アリール基又は置換アリール基である。）からなる群から選択される。］、
Ａｒ３は、下記一般式（Ｅ）および（Ｆ）からなる群から選択される。
【化４】
2016074894.tif 000013
［ｔ＝１〜３、Ｒ９、Ｒ１０、Ｒ１１は、それぞれ独立して、水素原子、ハロゲン原子、アルキル基、置換アルキル基、ニトロ基、シアノ基、チオアルキル基、アルコキシ基、置換アルコキシ基、アリール基、置換アリール基、アルキルエステル基、置換アルキルエステル基、およびこれらの組み合せからなる群から選択され、Ｇ３は、共有結合、ＣＨ２基、Ｃ（ＣＨ３）２基、Ｃ（ＣＦ３）２基、Ｃ（ＣＸ３）２基（但しＸはハロゲン原子である。）、ＣＯ基、Ｏ原子、Ｓ原子、ＳＯ２基、Ｓｉ（ＣＨ３）２基、９，９−フルオレン基、置換９，９−フルオレン基、およびＯＺＯ基（但しＺは、アリール基又は置換アリール基である。）からなる群から選択される。］
【手続補正４】
【補正対象書類名】明細書
【補正対象項目名】００１０
【補正方法】変更
【補正の内容】
【００１０】
（３）  前記剛直構造は、４，４’−ジアミノ−２，２’−ビストリフルオロメチルビフェニル（ＰＦＭＢ）由来の構造、テレフタロイルジクロライド（ＴＰＣ）由来の構造、４，４’−ジアミノジフェン酸（ＤＡＰＤ）由来の構造、および３，５−ジアミノベンゾイン酸（ＤＡＢ）由来の構造のうちの少なくとも１種を含む上記（１）または（２）に記載のカバー部材。
【手続補正５】
【補正対象書類名】明細書
【補正対象項目名】００１１
【補正方法】変更
【補正の内容】
【００１１】
（４）  前記芳香族ポリアミドは、エポキシ基と反応可能な１つ以上の官能基を含み、
前記基材は、さらに、多官能エポキシドを含む上記（１）ないし（３）のいずれかに記載のカバー部材。
（５）  エポキシ基と反応可能な１つ以上の官能基を含む非晶性の芳香族ポリアミドと多官能エポキシドとを含有するフィルム状をなす基材を備えることを特徴とするカバー部材。
（６）  前記芳香族ポリアミドの少なくとも一方の末端は、前記エポキシ基と反応可能な前記官能基である上記（４）または（５）に記載のカバー部材。
（７）  前記多官能エポキシドは、２つ以上のグリシジルエポキシ基を含むエポキシドまたは２つ以上の脂環式基を含むエポキシドである上記（４）ないし（６）のいずれかに記載のカバー部材。
【手続補正６】
【補正対象書類名】明細書
【補正対象項目名】００１２
【補正方法】変更
【補正の内容】
【００１２】
（８）  前記多官能エポキシドは、下記一般構造（α）および（β）からなる群から選択される上記（４）ないし（７）のいずれかに記載のカバー部材。
【化５】
2016074894.tif 000014
（ただし、ｌは、グリシジル基の数であり、Ｒは、下記一般式からなる群から選択される。
【化６】
2016074894.tif 000015
［ｍ＝１〜４、ｎおよびｓは、それぞれ独立した単位の平均数であって、０〜３０であり、Ｒ１２は、それぞれ独立して、水素原子、ハロゲン原子、アルキル基、置換アルキル基、ニトロ基、シアノ基、チオアルキル基、アルコキシ基、置換アルコキシ基、アリール基、置換アリール基、アルキルエステル基、置換アルキルエステル基、およびこれらの組み合せからなる群から選択され、Ｇ４は、共有結合、ＣＨ２基、Ｃ（ＣＨ３）２基、Ｃ（ＣＦ３）２基、Ｃ（ＣＸ３）２基（但しＸはハロゲン原子である。）、ＣＯ基、Ｏ原子、Ｓ原子、ＳＯ２基、Ｓｉ（ＣＨ３）２基、９，９−フルオレン基、置換９，９−フルオレン基、およびＯＺＯ基（但しＺは、アリール基又は置換アリール基である。）からなる群から選択され、Ｒ１３は、水素原子またはメチル基であり、Ｒ１４は、二価有機基である。］。）
【化７】
2016074894.tif 000016
（ただし、環状構造（cyclic structure）は、下記一般式からなる群から選択される。
【化８】
2016074894.tif 000017
［Ｒ１５は、炭素数２〜１８を有する二価の炭化水素基であり、該二価の炭化水素基は、直鎖状の基、分枝状の基または環状骨格を有する基であり、ｍおよびｎは、それぞれ独立して、１〜３０の整数であり、ａ、ｂ、ｃ、ｄ、ｅおよびｆは、それぞれ独立して０〜３０の整数である。］。）
【手続補正７】
【補正対象書類名】明細書
【補正対象項目名】００１３
【補正方法】変更
【補正の内容】
【００１３】
（９）  前記多官能エポキシドは、下記一般構造からなる群から選択される上記（４）ないし（８）のいずれかに記載のカバー部材。
【化９】
2016074894.tif 000018
（ただし、Ｒ１６は、炭素数２〜１８を有する一価の炭化水素基であり、該一価の炭化水素基は、直鎖状の基、分枝状の基または環状骨格を有する基であり、ｔおよびｕは、それぞれ独立して１〜３０の整数である。）
【手続補正８】
【補正対象書類名】明細書
【補正対象項目名】００１４
【補正方法】変更
【補正の内容】
【００１４】
（１０）  前記芳香族ポリアミドは、カルボキシル基を含む上記（１）ないし（９）のいずれかに記載のカバー部材。
（１１）  前記基材は、その引張弾性率が４ＧＰａ以上である上記（１）ないし（１０）のいずれかに記載のカバー部材。
（１２）  前記基材は、ループスティフネステスタ法にて得られる、ループスティフネス値が５ｇ／２５ｍｍ以上である上記（１）ないし（１１）のいずれかに記載のカバー部材。
【手続補正９】
【補正対象書類名】明細書
【補正対象項目名】００１５
【補正方法】変更
【補正の内容】
【００１５】
（１３）  前記基材は、そのヘイズ値が５％以下である上記（１）ないし（１２）のいずれかに記載のカバー部材。
（１４）  前記基材は、その波長４００ｎｍの全光線透過率が６５％以上である上記（１）ないし（１３）のいずれかに記載のカバー部材。
（１５）  前記基材は、耐薬品性を備える上記（１）ないし（１４）のいずれかに記載のカバー部材。
【手続補正１０】
【補正対象書類名】明細書
【補正対象項目名】００１６
【補正方法】変更
【補正の内容】
【００１６】
（１６）  前記基材は、その平均厚さが０．１μｍ以上１０００μｍ以下である上記（１）ないし（１５）のいずれかに記載のカバー部材。
（１７）  所定の操作に起因する静電容量の変化を検出するタッチパネルと、
該タッチパネルの一方の面側に配置された、上記（１）ないし（１６）のいずれかに記載のカバー部材とを備えることを特徴する電子機器。